(57)【要約】      （修正有）【課題】ＥＲＴＩＣＯ窓の標準的なサイズ及び５ＧＨｚ〜６ＧＨｚの周波数範囲に適合するデータ伝送窓を有するグレージングを提供する。【解決手段】データ伝送窓３は、導電性コーティングのアブレーションによって作製される複数のグリッド３１と、隣接するグリッド３１間の少なくとも１つの区切り線３２とを含む。グリッドの幅ａ及び隣接するグリッド間の距離ｂのうちの少なくとも１つは、所定の周波数の電磁放射線の透過を最大限にするように、かつ、ホットスポットの形成を低減するように選択される。【選択図】図３
2019146241.tif 000002
【特許請求の範囲】
【請求項１】
導電性コーティング（２）と、
前記導電性コーティング（２）中のデータ伝送窓（３）と、を含む加熱可能なグレージング（１）であって、
前記データ伝送窓（３）は、
複数のグリッド（３１）を提供するように配置される、前記導電性コーティング（２）中の複数のアブレーションであって、前記グリッド（３１）は、行及び列の区分を含む、複数のアブレーションと、
少なくとも１つの区切り線（３２）であって、各区切り線（３２）は、隣接するグリッド（３１）間に配置される、区切り線（３２）と、を含み、
前記グリッド（３１）の幅「ａ」及び隣接するグリッド（３１）間の距離「ｂ」のうちの少なくとも１つが、所定の周波数の電磁放射線の透過を最大限にするように選択されることを特徴とする、前記加熱可能なグレージング（１）。
【請求項２】
前記グリッド（３１）の前記幅「ａ」は、４〜１０ｍｍの範囲内である、請求項１に記載の加熱可能なグレージング。
【請求項３】
前記グリッド（３１）の前記幅「ａ」は、４〜６ｍｍの範囲内である、請求項２に記載の加熱可能なグレージング。
【請求項４】
前記グリッド（３１）の前記幅「ａ」は、５〜６ｍｍの範囲内である、請求項３に記載の加熱可能なグレージング。
【請求項５】
隣接するグリッド（３１）間の前記距離「ｂ」は、１〜４ｍｍの範囲内である、請求項１〜４のいずれか１項に記載の加熱可能なグレージング。
【請求項６】
隣接するグリッド（３１）間の前記距離「ｂ」は、２〜４ｍｍの範囲内である、請求項５に記載の加熱可能なグレージング。
【請求項７】
隣接するグリッド（３１）間の前記距離「ｂ」は、３〜４ｍｍの範囲内である、請求項６に記載の加熱可能なグレージング。
【請求項８】
前記グリッド（３１）の高さ「ｃ」は、前記グリッド（３１）の前記幅「ａ」よりも大きい、請求項１〜７のいずれか１項に記載の加熱可能なグレージング。
【請求項９】
前記グリッド（３１）の高さ「ｃ」は、５０〜１００ｍｍの範囲内である、請求項８に記載の加熱可能なグレージング。
【請求項１０】
前記グリッド（３１）の前記高さ「ｃ」は、６５〜７５ｍｍの範囲内である、請求項９に記載の加熱可能なグレージング。
【請求項１１】
前記データ伝送窓（３）の幅「ｄ」は、前記グリッド（３１）の前記幅「ａ」と隣接するグリッド間の前記距離「ｂ」合計の３倍を超える、すなわち、「ｄ＞３（ａ＋ｂ）」である、請求項１〜１０のいずれか１項に記載の加熱可能なグレージング。
【請求項１２】
前記データ伝送窓（３）の幅「ｄ」は、５０〜２００ｍｍの範囲内である、請求項１〜１１のいずれか１項に記載の加熱可能なグレージング。
【請求項１３】
前記データ伝送窓（３）の前記幅「ｄ」は、１３０〜１４０ｍｍの範囲内である、請求項１２に記載の加熱可能なグレージング。
【請求項１４】
前記グリッド（３１）の各区分の幅「ｅ」は、０．５〜５ｍｍの範囲内である、請求項１〜１３のいずれか１項に記載の加熱可能なグレージング。
【請求項１５】
前記加熱可能なグレージング（１）は、前記区切り線（３２）に対して実質的に直角に配置される頂部母線及び底部母線をさらに含む、請求項１〜１４のいずれか１項に記載の加熱可能なグレージング。
【請求項１６】
前記所定の周波数の電磁放射線は、３〜１０ＧＨｚの範囲内である、請求項１〜１５のいずれか１項に記載の加熱可能なグレージング。
【請求項１７】
前記所定の周波数の電磁放射線は、５〜６ＧＨｚの範囲内である、請求項１６に記載の加熱可能なグレージング。
【請求項１８】
自由空間に対する前記データ伝送窓（３）を通した前記所定の周波数での電磁放射線の前記透過は、−３ｄＢ以上であり、より好ましくは、前記透過は、−０．５ｄＢ以上である、請求項１〜１７のいずれか１項に記載の加熱可能なグレージング。
【請求項１９】
前記データ伝送窓の導電幅百分率ｂ／（ａ＋ｂ）は、２５％以上、より好ましくは３５％以上である、請求項１〜１８のいずれか１項に記載の加熱可能なグレージング。
【請求項２０】
前記グリッドの前記幅「ａ」及び隣接するグリッド間の前記距離「ｂ」は、前記グリッドの各区分の幅「ｅ」の整数倍「Ａ」及び「Ｂ」になるように選択される、請求項１〜１９のいずれか１項に記載の加熱可能なグレージング。
【請求項２１】
前記グリッドの高さ「ｃ」は、前記グリッドの各区分の前記幅「ｅ」の整数倍「Ｃ」になるように選択される、請求項２１に記載の加熱可能なグレージング。
【請求項２２】
前記加熱可能なグレージング（１）は、第１のグレージング材料プライ（１１）と第２のグレージング材料プライ（１２）との間に、第１及び第２の中間層材料プライ（２１、２２）を含み、前記導電性コーティング（２）は、前記第１の中間層材料プライ（２１）と前記第２の中間層材料プライ（２２）との間のキャリアフィルム（４３）上にある、請求項１〜２１のいずれか１項に記載の加熱可能なグレージング。
【請求項２３】
前記加熱可能なグレージング（１）は、第１のグレージング材料プライ（１１）と第２のグレージング材料プライ（１２）との間に、中間層材料プライ（２１）を含み、前記導電性コーティング（２）は、前記第１または第２のグレージング材料プライ（１１、１２）の表面上にあり、前記中間層材料プライ（２１）と接触している、請求項１〜２１のいずれか１項に記載の加熱可能なグレージング。
【発明の詳細な説明】
【背景技術】
【０００１】
本発明は、データ伝送窓を有するグレージングに関する。
【０００２】
導電性コーティングを含むグレージングが既知である。例えば、フロントガラスの導電性コーティングは、赤外線放射を反射して、太陽による車両の内部の急速加熱を防止することができるか、またはフロントガラスを加熱するための電流を搬送し、曇り取りまたは霜取りをもたらすことができる。
【０００３】
そのような導電性コーティングの既知の問題は、通信信号の伝送が少なくとも部分的に遮断されることである。導電性コーティングを有するフロントガラスは、ナビゲーション装置（ＧＰＳ）、携帯電話、または料金収受装置のためのデータの伝送を少なくとも部分的に遮断し、そのため、これらの装置は、そのフロントガラスが取り付けられた車両内で機能しない。したがって、導電性コーティングを有するフロントガラスを通る所定の周波数の電磁放射線の透過を可能にする手段を提供することが望ましい。
【０００４】
欧州特許第０５３１７３４Ｂ１号（Ｃｅｎｔｒａｌ／Ｎａｋａｓｈｉｍａ）は、電波に対する反射率が比較的高い層を含む、積層パネルを開示し、該層は、一連のスリットによって複数の区分に分割される。好ましい実施形態では、各区分の幅は、伝送のために選択された波長の１／３０であり、それによって、該電波に対する該層の反射率は低減される。例えば、周波数２００ＭＨｚ（波長１，５００ｍｍ）の信号の伝送を可能にするために、各区分の幅は５０ｍｍである。
【０００５】
ドイツ国特許第１９５０８０４２Ａ１号（ＮＳＧ／Ｔｓｕｎｏ）もまた、一連のスリットによって複数の区分に分割され、各区分の幅が伝送のために選択された波長の１／１０未満になるようにする、電気信号の伝送及び熱の反射のための導電性コーティングを開示する。例えば、周波数２ＧＨｚの信号の伝送に対して、各区分の幅は、好ましくは１ｃｍ未満である。
【０００６】
欧州特許第０５３１７３４Ｂ１号及びドイツ国特許第１９５０８０４２Ａ１号の両方が、区分に分割されるために電気加熱可能ではない、導電性コーティングを提供する。
【０００７】
欧州特許第１５５９１６７Ｂ１号（ＡＧＣ／Ｒｏｑｕｉｎｙ）は、放射線反射性コーティング層と、電磁放射線に透過性のコーティング層中の窓とを含む、車両グレージングパネルを提供する。典型的な電磁波周波数は、例えば、無線信号に対して８８〜１０８ＭＨｚ、５４０〜１６５０ｋＨｚ、１５０〜２８０ｋＨｚ、携帯電話通信に対して８９０〜９６０ＭＨｚ、１７１０〜１８８０ＭＨｚ、１９００〜２１７０ＭＨｚ、ＧＰＳに対して１５７５．４２＋／−１０ＭＨｚ、及び料金収受などの狭域通信（ＤＳＲＣ）に対して５．８ＧＨｚである。窓は、コーティング層がドットのパターンにない領域である。ドットは、コーティング層中のコーティングされていない開口部を形成し、直線的に、または交互の行で配置される。各ドットは、５〜７ｍｍの直径を有する。ドットのパターンは、信号に焦点を合わせることによって伝送指向性を増加させることができ、すなわち、ドットのパターンを通した伝送は、コーティング層なしの基準フロントガラスを通るよりも大きくなり得る。車両グレージングパネルはまた、加熱され得る。コーティングなしのドットのパターンは、グレージングパネルが実質的に均一に加熱されることを可能にする。コーティング層を損傷する可能性があるホットスポットは回避される。不利点は、コーティング層の有意な領域がないため、太陽光の性能が犠牲にされることである。それぞれ６ｍｍの直径のコーティング層なしの６４個のドットを含む、幅６ｃｍ及び高さ６ｃｍの正方形は、残っているコーティングされた領域が５０％のみであるため、太陽光の性能が犠牲にされる。
【０００８】
米国特許第７１９０３２６Ｂ２号（ＰＰＧ／Ｖｏｅｌｔｚｅｌ）は、通信窓、すなわち、周波数選択面（ＦＳＳ）を含む、自動車用の加熱可能なフロントガラスの導電性コーティングを提供する。ＦＳＳは、電磁スペクトルのそれぞれの所定の波長を通過及び遮断するために、通過領域（コーティングされていない領域）及び遮断領域（コーティングされた領域）を含む。通過領域及び遮断領域は、連続的な細長い遮断領域によって互いから離間した、アブレーションによって画定される多くの列で配置されてもよい。導電性コーティングに加熱電流を供給するための母線は、電流が隣接する列の間を流動して、ホットスポットの形成を回避するように、列の上及び下に配向されてもよい。隣接する列の間の距離が小さいほど、ホットスポットの強度の低減は大きくなる。
【０００９】
ドイツ国特許第１０２０１１１１５９６７Ａ１号（Ｄａｉｍｌｅｒ／Ｆｒｏｓｃｈ）は、所定の周波数における改善された透過領域をもたらす、フロントガラス中の導電性コーティング中のアブレーションの有利なパターンを開示する。アブレーションは、電気的連続性が維持され、したがって、電気加熱が不利にはならないように、交差点で中断される。
【００１０】
従来のデータ伝送窓と比較して、維持または改善されたデータ伝送、及び改善された加熱の均一性、及び維持または改善された太陽光の性能を有する領域を含む、代替の加熱可能なグレージングを提供することが、本発明の目的である。
【発明の概要】
【００１１】
本発明の第１の態様によると、それに添付された請求項１に記載される特徴を含む、加熱可能なグレージングが提供される。
【００１２】
本発明は、加熱用の電流のための経路を提供し、同時に、選択された周波数範囲内の電磁放射線の改善された透過を提供する領域を有する、代替の加熱可能なグレージングを提供する。
【００１３】
データ伝送窓を画定するように協働する、グリッド、すなわち、行及び列で区分を形成するように配置されるアブレーション、及び少なくとも１つの区切り線、すなわち、隣接するグリッド間に配置されるアブレーションを提供することによって、利益が得られる。本発明に従ったデータ伝送窓を通した垂直偏波電磁放射線の透過は、フルグリッドを有する従来のデータ伝送窓を通るよりも大きい。
【００１４】
驚くべきことに、本発明者は、本発明に従った区切り線の提供が、選択された周波数の透過を増加させることを発見した。当該技術分野において既知のソフトウェアを使用したコンピュータシミュレーションからのデータは、この利点の証拠である。
【００１５】
区切り線を含む、本発明に従ったグレージングは、データ伝送窓を通した透過がコーティングなしの基準グレージングを通るよりも大きくなるように、所定の周波数での電磁放射線の透過を最大限にすることが可能である。本発明に従ったコーティングアブレーションの量は、ドットのパターンを有するデータ伝送窓中のコーティングアブレーションの量よりも小さい。幅０．０５ｍｍのアブレーションを有する幅１ｍｍの区分は、残っているコーティング領域が９０％であり、したがって、太陽光の性能はほぼ維持される。
【００１６】
好ましくは、グリッドの幅「ａ」は、４〜１０ｍｍの範囲内である。
【００１７】
好ましくは、グリッドの幅「ａ」は、４〜６ｍｍの範囲内である。
【００１８】
好ましくは、グリッドの幅「ａ」は、５〜６ｍｍの範囲内である。
【００１９】
好ましくは、隣接するグリッド間の距離「ｂ」は、１〜４ｍｍの範囲内である。
【００２０】
好ましくは、隣接するグリッド間の距離「ｂ」は、２〜４ｍｍの範囲内である。
【００２１】
好ましくは、隣接するグリッド間の距離「ｂ」は、３〜４ｍｍの範囲内である。
【００２２】
好ましくは、グリッドの高さ「ｃ」は、グリッドの幅「ａ」よりも大きい。
【００２３】
好ましくは、グリッドの高さ「ｃ」は、５０〜１００ｍｍの範囲内である。
【００２４】
好ましくは、グリッドの高さ「ｃ」は、６５〜７５ｍｍの範囲内である。
【００２５】
好ましくは、データ伝送窓の幅「ｄ」は、グリッドの幅「ａ」と隣接するグリッド間の距離「ｂ」の合計の３倍を超える、すなわち、「ｄ＞３（ａ＋ｂ）」である。
【００２６】
好ましくは、データ伝送窓の幅「ｄ」は、５０〜２００ｍｍの範囲内である。
【００２７】
好ましくは、データ伝送窓の幅「ｄ」は、１３０〜１４０ｍｍの範囲内である。
【００２８】
好ましくは、グリッドの各区分の幅「ｅ」は、０．５〜５ｍｍの範囲内である。
【００２９】
好ましくは、加熱可能なグレージングは、区切り線に対して実質的に直角に配置される頂部母線及び底部母線をさらに含む。
【００３０】
好ましくは、電磁放射線の所定の周波数は、３〜１０ＧＨｚの範囲内である。
【００３１】
好ましくは、電磁放射線の所定の周波数は、５〜６ＧＨｚの範囲内である。より好ましくは、電磁放射線の所定の周波数は、５．８ＧＨｚである。
【００３２】
好ましくは、自由空間中の所定の周波数での電磁放射線の透過に対する、データ伝送窓を通した所定の周波数での電磁放射線の透過は、−３ｄＢ以上である。より好ましくは、該透過は、−０．５ｄＢ以上である。
【００３３】
好ましくは、データ伝送窓の導電幅百分率は、２５％以上である。より好ましくは、データ伝送窓の導電幅百分率は、３５％以上である。
【００３４】
好ましくは、グリッドの幅「ａ」及び隣接するグリッド間の距離「ｂ」は、グリッドの各区分の幅「ｅ」の整数倍「Ａ」及び「Ｂ」になるように選択される。
【００３５】
好ましくは、グリッドの高さ「ｃ」は、グリッドの各区分の幅「ｅ」の整数倍「Ｃ」になるように選択される。
【００３６】
好ましくは、加熱可能なグレージングは、第１のグレージング材料プライと第２のグレージング材料プライとの間に、第１及び第２の中間層材料プライを含み、導電性コーティングは、第１の中間層材料プライと第２の中間層材料プライとの間のキャリアフィルム上にある。
【００３７】
あるいは、加熱可能なグレージングは、第１のグレージング材料プライと第２のグレージング材料プライとの間に、中間層材料プライを含み、導電性コーティングは、第１及び第２のグレージング材料プライの表面上にあり、中間層材料プライ（４１）と接触している。
【００３８】
本発明の利点は、ホットスポットの形成が、データ伝送窓中に提供される複数の電流路によって回避されることである。電流路は、隣接するグリッド間で垂直に配置される区切り線によって、頂部母線及び底部母線に対して実質的に垂直に配置され得る。
【図面の簡単な説明】
【００３９】
本発明はここで、添付の図面を参照して限定されない例を用いて記載される。
【図１】平面図で本発明に従ったグレージングを示す。
【図２】それぞれ、区切り線によって分離される、４つのグリッドを有する、本発明に従ったデータ伝送窓を示す。
【図３】パラメータ「ａ」〜「ｅ」を有する、図２のデータ伝送窓を示す。
【図４】「ｂ」＝２になり、各グリッドが、「ａ」＝６及び「ｃ」＝１４を有するように、それぞれ、区切り線によって分離される、４つのグリッドを有する、本発明に従ったデータ伝送窓を示す。
【図５】「ａ」＝６及び「ｂ」＝３になるように、２つの区切り線によって分離される、４つのグリッドを有する、本発明に従ったデータ伝送窓を示す。
【図６】キャリアフィルム上に導電性コーティングを含む、本発明に従ったグレージングの断面図である。
【図７】「ａ」＝６及び「ｂ」＝４、ならびに最大温度８３℃を有する、本発明に従ったグレージングの温度分布を示す。
【図８】「ａ」＝６及び「ｂ」＝２、ならびに最大温度８９℃を有する、本発明に従ったグレージングの温度分布を示す。
【図９】「ａ」＝６及び「ｂ」＝２、ならびに丸角及び最大温度９３℃を有するデータ伝送窓を有する、本発明に従ったグレージングの温度分布を示す。
【図１０】最大温度１１４℃を有する、フルグリッドデータ伝送窓を含む、従来技術に従ったグレージングの温度分布を示す。
【図１１】最大温度８１℃及び５０％のみ残っているコーティング領域を有する、ドットのパターンを含む、従来技術に従ったグレージングの温度分布を示す。
【図１２】本発明に従った４つのグレージング及びコーティングなしの基準グレージングに関する、透過対０．１〜６ＧＨｚの範囲の周波数の図を示す。
【図１３】本発明に従った４つのグレージング及びコーティングなしの基準グレージングに関する、透過対５〜６ＧＨｚの範囲の周波数の図を示す。
【図１４】「ａ」＝６ｍｍにおいて最大値を示す、本発明に従った４つのグレージングに関する、５．７ＧＨｚでの透過対グリッドの幅の図を示す。
【図１５】本発明に従った７つのグレージングに関する、５．８ＧＨｚでの透過対導電幅の百分率の図を示す。
【図１６】−０．５ｄＢの透過閾値及び３５％の導電幅百分率閾値を示す、隣接するグリッド間の距離「ｂ」によってグループ化された、図１５と同じデータの図を示す。
【図１７】単位幅「ｅ」に基づく、無次元の変数「Ａ」、「Ｂ」、「Ｃ」、及び「Ｄ」を示す。
【発明を実施するための形態】
【００４０】
図１は、車両フロントガラスに好適な、本発明に従ったグレージング１を示す。全ての図面及び記載において、「垂直に」は、例えば、車両内に取り付けられる場合の、グレージング１の垂直配向を指す。グレージング１は、太陽光制御に好適な導電性コーティング２を含む。そのようなコーティングは、当該技術分野において既知である。導電性コーティング２は、所定の周波数での電磁放射線の透過を可能にするのに好適なデータ伝送窓３を含む。
【００４１】
導電性コーティング２は、無線周波数での透過を防止する。透過の減衰は、−２５〜−３５ｄＢの範囲内である。
【００４２】
データ伝送窓３は、高さ７０ｍｍ及び幅１２０ｍｍのＥｕｒｏｐｅａｎ  Ｉｎｔｅｌｌｉｇｅｎｔ  Ｔｒａｎｓｐｏｒｔ  Ｓｙｓｔｅｍｓ  Ｏｒｇａｎｉｓａｔｉｏｎ（ＥＲＴＩＣＯ）の基準で画定されるような、標準的なサイズであってもよい。
【００４３】
データ伝送窓３内の導電性コーティング２のアブレーションは、当該技術分野において既知のレーザ処理によって行われてもよい。アブレーションは、行及び列の区分を含むグリッドを形成するように行われる。各区分の幅はまた、グリッドピッチとして既知であり、約１ｍｍである。アブレーションは、約５０〜１００マイクロメートルの幅を有して形成される。
【００４４】
グリッドは、無線周波数透過を提供するが、ＤＣ加熱電流を妨げ、したがって加熱可能なグレージング中の従来のデータ伝送窓は、非加熱領域であり、ホットスポットがデータ伝送窓の縁部に形成される。したがって、加熱均一性と、無線周波数透過と、太陽光の性能との間の最良の妥協を見つけるという長年の要求が存在する。
【００４５】
本発明は、複数のグリッドを提供することによって、すなわち、隣接するグリッド間の間隙中に電流路を提供することによって、ＤＣ電流がデータ伝送窓３の一部で垂直に流動することを可能にする。
【００４６】
さらに、本発明は、隣接するグリッド間の１つ以上の区切り線を用いて、グリッドパターンを垂直方向で維持し、水平偏波に対する無線周波数性能を維持する。隣接するグリッド間の間隙中の水平電流は、垂直に配置された区切り線によって遮断される。
【００４７】
図２は、４つのグリッド３１を含むデータ伝送窓３をより詳細に示す。各グリッド３１間には、区切り線３２がある。
【００４８】
図３は、５つのパラメータ「ａ」〜「ｅ」によって画定されるデータ伝送窓３を示す。グリッド３１の幅は、「ａ」である。隣接するグリッド３１間の距離は、「ｂ」である。グリッドの高さは、「ｃ」である。データ伝送窓３の幅は、「ｄ」である。グリッド３１の各区分の幅は、「ｅ」である。
【００４９】
図４は、それぞれ、水平に６つの区分を含む、４つのグリッド３１を含む、データ伝送窓３を示す。各グリッド３１間には、区切り線３２がある。本実施形態では、区分の幅は、１ｍｍであり、グリッド３１と隣接する区切り線３２との間の距離は、１ｍｍである。したがって、グリッド３１の幅「ａ」及び隣接するグリッド３１間の距離「ｂ」は、アブレーション間の間隙の数を数えることによって、ミリメートルで容易に測定される。この場合、「ａ」は６ｍｍであり、「ｂ」は２ｍｍであり、「ａ６、ｂ２」と便利に書かれ得る。この図面中、右端の１つのアブレーションは、パターンが必要な幅「ｄ」を満たすために繰り返すことを示すために省略されている。ＥＲＴＩＣＯ窓に関する好ましい実施形態は、寸法「ａ６、ｂ２」の１５個のグリッドからなる。
【００５０】
図５は、データ伝送窓３が、それぞれ、水平に６つの区分を含む、複数のグリッド３１を含み、隣接するグリッド間の２つの区切り線３２が隣接するグリッド間に配置される、すなわち、「ｅ」＝１ｍｍである場合、「ａ６、ｂ３」である、好ましい実施形態を示す。ＥＲＴＩＣＯ窓を満たすために、「ｅ」が１ｍｍ未満である場合、グリッド３１の数は、１５を超える。幅「ｄ」１３５ｍｍに対する大体の要件は、「ｅ」＝１ｍｍである場合、１７個のグリッドを必要とする。１２個の垂直の区分が便宜上示されるが、「ｅ」＝１ｍｍである場合、７０個の垂直の区分がＥＲＴＩＣＯ窓を満たすために必要とされる。
【００５１】
図６は、グレージング１が、第１のグレージング材料プライ１１と第２のグレージング材料プライ１２との間に、第１及び第２の中間層材料プライ２１、２２を含む、好ましい実施形態の断面図を示す。導電性コーティング２は、第１の中間層材料プライ２１と第２の中間層プライ２２との間のキャリアフィルム２３上にある。データ伝送窓３は、導電性コーティング２中に提供される。
【００５２】
代替の実施形態（図示せず）では、グレージング１は、第１のグレージング材料プライ１１と第２のグレージング材料プライ１２との間に、中間層材料プライ２１を含む。導電性コーティング３は、第１または第２のグレージング材料プライ１１、１２の表面上にあり、中間層材料プライ２１と接触している。これは、より単純な製造プロセスの利点を有する。
【実施例】
【００５３】
本発明の実施例をコンピュータシミュレーションによって解析した。電磁場問題の数値微分モデリングの既知の伝送線路行列（ＴＬＭ）法を使用して、無線周波数透過をシミュレーションした。各実施例におけるデータ伝送窓３は、幅１３５ｍｍ及び高さ７０ｍｍを有し、グレージングは、厚さ０．７ｍｍの中間層のプライによって一緒に接着される、厚さ２．１ｍｍのフロートガラス２枚の板である。区分の幅「ｅ」は、１ｍｍである。
【００５４】
各実施例における最大温度を識別するために、４２Ｖに基づき、温度分布もまたモデリングした。ホットスポットは、人によって触れられる場合に危険であり得、かつコーティング、中間層材料、またはグレージングを損傷し得る。８０〜９０℃の範囲の最大温度が好ましい。
【００５５】
図７は、「ａ」＝６及び「ｂ」＝４、ならびに最大温度８３℃を有する、本発明に従ったグレージングの温度分布を示す。隣接するグリッド３１間の距離「ｂ」、すなわち、ＤＣ経路は、ホットスポットを最小限に抑えるために幅広い。
【００５６】
図８は、「ａ」＝６及び「ｂ」＝２、ならびに最大温度８９℃を有する、本発明に従ったグレージングの温度分布を示す。ＤＣ経路は、グリッド３１の繰り返す距離「ａ＋ｂ」が８ｍｍになるように、図７よりも狭い。したがって、データ伝送窓３は、図７よりも多いグリッドを含む。
【００５７】
図９は、「ａ」＝６及び「ｂ」＝２を有する、本発明に従ったグレージングの温度分布を示し、データ伝送窓３は、丸角及び最大温度９３℃を有する。
【００５８】
図１０は、最大温度１１４℃を有する、フルグリッドデータ伝送窓を含む、従来技術に従ったグレージングの温度分布を示す。この比較例において、単一のグリッドが、従来のＥＲＴＩＣＯ窓３を満たす。ホットスポット温度は、許容できない。
【００５９】
図１１は、最大温度８１℃及び５０％のみ残っているコーティング領域を有する、ドットのパターンを含む、従来技術の欧州特許第１５５９１６７号（ＡＧＣ／Ｒｏｑｕｉｎｙ）に従ったグレージングの温度分布を示す。ホットスポットは回避されるが、太陽光の性能は、データ伝送窓３中で犠牲にされる。
【００６０】
図１２は、本発明に従った４つのグレージング及びコーティングなしの基準グレージングに関する、透過対０．１〜６ＧＨｚの範囲の周波数の図を示す。グリッド３１の繰り返す距離「ａ＋ｂ」は、４つの全てのグレージング中で９ｍｍである。グリッドの幅「ａ」が増加するにつれて、垂直偏波高周波に対してより大きい窓が提供され、したがって透過が増加する。
【００６１】
図１３は、本発明に従った４つのグレージング及びコーティングなしの基準グレージングに関する、透過対５〜６ＧＨｚの範囲の周波数の図を示す。図１３は、図１２の高分解能区分である。透過が電磁放射線の所定の周波数で最大化されるように、周波数依存性が観察される。最大値は、４〜６ｍｍの範囲のグリッド３１の幅「ａ」、すなわち、３〜５ｍｍの範囲のグリッド３１間の距離「ｂ」に対して、５．７ＧＨｚで生じる。異なる効果が、７ｍｍ以上の「ａ」、すなわち、２ｍｍ以下の「ｂ」に対して生じる。透過性能は、「ａ６、ｂ３」に対して、コーティングなしのグレージングの比較例と同様であった。本実施例では、「ａ」及び「ｂ」の組み合わせは、ａ＋ｂ＝９になるように選択される。
【００６２】
図１４は、「ａ」＝６ｍｍにおいて最大値を示す、本発明に従った図１３の４つのグレージングに関する、５．７ＧＨｚでの透過対グリッドの幅の図を示す。図１４は、隣接するグリッド３１間の距離「ｂ」と協働したグリッド３１の幅「ａ」に関する、最適化解析を示す。図１３及び図１４は合わせて、所与の周波数及び繰り返す距離「ａ＋ｂ」に関して、最適値、すなわち、最大値があることを示す。
【００６３】
驚くべきことに、本発明者らは、直線偏波垂直波に対して、所与の周波数に対する最適な透過をもたらす電界分布が得られることを発見した。本発明に従ったアブレーションの後、典型的に、データ伝送窓３中の導電性コーティング２の９０％が残り、したがって、太陽光の性能が犠牲にされない。最大温度は、８０〜９０℃の範囲内であり、したがって、ホットスポットは回避される。
【００６４】
直線偏波に関する実験結果は、重要な場合に対してであり、それは垂直である。水平電流は、隣接するグリッド間の間隙中の垂直電流路による有意な影響を受けないため、水平偏波は、「ａ」または「ｂ」に対して異なる値を選択することによる影響は受けない。例えば、料金収受のためのいくつかの通信システムは、円偏波を有する。本発明は、上記に示される効果があまり顕著ではないが、円偏波に適用できる。
【００６５】
本発明に従ったさらなる実施形態では、無線周波数透過及び加熱均一性の両方が最適化される。加熱均一性は、隣接するグリッド間の距離「ｂ」が増加するにつれて改善すると予期される。一方で、無線周波数透過は、特定の組み合わせでグリッドの幅「ａ」及び隣接するグリッド間の距離「ｂ」を選択することによって最適化される。従来技術は、無線周波数透過及び加熱均一性の両方を最適化するように、グリッドの幅「ａ」及び隣接するグリッド間の距離「ｂ」が合わせて選択される、グレージングを開示していない。
【００６６】
本発明によると、加熱均一性の指標は、ｂ／（ａ＋ｂ）として計算される導電幅百分率である。導電幅百分率は、レーザアブレーションなしのコーティングと比較して、提案された複数のグリッドのＤＣ加熱に対する平均伝導率を定量化する。
【００６７】
図１５は、円偏波を使用した実験結果からの、本発明に従った７つのグレージングに関する、５．８ＧＨｚでの透過対導電幅の百分率の図を示す。独立変数として導電幅百分率を使用する利点は、加熱均一性に関して最良である本発明の実施形態が右に示されることである。
【００６８】
図１６は、隣接するグリッド間の距離「ｂ」によってグループ化された、図１５と同じ実験結果の図を示す。概して、「ｂ」が増加するにつれて、加熱均一性は改善される。無線周波数透過及び導電幅百分率に対する閾値が適用される。例えば、−０．５ｄＢの透過閾値及び３５％の導電幅百分率閾値が適用される。両方の閾値が、ａ５、ｂ３によって超えられる。本実施形態は、−０．３ｄＢの無線周波数透過（自由空間にほぼ等しい）の最適値を示し、加熱に対して３／（５＋３）＝３７．５％の導電幅を可能にする。
【００６９】
図１７は、変数「ａ」、「ｂ」、「ｃ」、及び「ｄ」が、各区分の幅「ｅ」の整数倍である、本発明に従ったグレージングを示す。したがって、無次元の変数「Ａ」、「Ｂ」、「Ｃ」、及び「Ｄ」は、「ｅ」の単位で数えて画定される。本実施形態の利点は、グリッドが整数の区分を有し、寸法の選択をより容易にすることである。
【図１】
2019146241.tif 000003
【図２】
2019146241.tif 000004
【図３】
2019146241.tif 000005
【図４】
2019146241.tif 000006
【図５】
2019146241.tif 000007
【図６】
2019146241.tif 000008
【図７】
2019146241.tif 000009
【図８】
2019146241.tif 000010
【図９】
2019146241.tif 000011
【図１０】
2019146241.tif 000012
【図１１】
2019146241.tif 000013
【図１２】
2019146241.tif 000014
【図１３】
2019146241.tif 000015
【図１４】
2019146241.tif 000016
【図１５】
2019146241.tif 000017
【図１６】
2019146241.tif 000018
【図１７】
2019146241.tif 000019
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
導電性コーティング（２）と、
前記導電性コーティング（２）中のデータ伝送窓（３）と、を含む加熱可能なグレージング（１）であって、
前記データ伝送窓（３）は、
複数のグリッド（３１）を提供するように配置される、前記導電性コーティング（２）中の複数のアブレーションであって、前記グリッド（３１）は、行及び列の区分を含む、複数のアブレーションと、
少なくとも１つの区切り線（３２）であって、アブレーションとしての各区切り線（３２）は、隣接するグリッド（３１）間に配置されている、区切り線（３２）と、を含み、
前記データ伝送窓の導電幅百分率ｂ／（ａ＋ｂ）は、２５％以上であり、ここで、「ａ」は、前記グリッド（３１）の幅であり、「ｂ」は、隣接するグリッド（３１）間の距離であり、
所定の周波数の電磁放射線は、５〜６ＧＨｚの範囲内であり、
自由空間に対する前記データ伝送窓（３）を通した前記所定の周波数での円偏波電磁放射線の透過は、−３ｄＢ以上であり、
１つ以上の前記区切り線が、垂直に配置されていることを特徴とする、加熱可能なグレージング（１）。
【請求項２】
前記グリッド（３１）の前記幅「ａ」は、４〜１０ｍｍの範囲内である、請求項１に記載の加熱可能なグレージング。
【請求項３】
前記グリッド（３１）の前記幅「ａ」は、４〜６ｍｍの範囲内である、請求項２に記載の加熱可能なグレージング。
【請求項４】
前記グリッド（３１）の前記幅「ａ」は、５〜６ｍｍの範囲内である、請求項３に記載の加熱可能なグレージング。
【請求項５】
隣接するグリッド（３１）間の前記距離「ｂ」は、１〜４ｍｍの範囲内である、請求項１〜４のいずれか１項に記載の加熱可能なグレージング。
【請求項６】
隣接するグリッド（３１）間の前記距離「ｂ」は、２〜４ｍｍの範囲内である、請求項５に記載の加熱可能なグレージング。
【請求項７】
隣接するグリッド（３１）間の前記距離「ｂ」は、３〜４ｍｍの範囲内である、請求項６に記載の加熱可能なグレージング。
【請求項８】
前記グリッド（３１）の高さ「ｃ」は、前記グリッド（３１）の前記幅「ａ」よりも大きい、請求項１〜７のいずれか１項に記載の加熱可能なグレージング。
【請求項９】
前記グリッド（３１）の高さ「ｃ」は、５０〜１００ｍｍの範囲内である、請求項８に記載の加熱可能なグレージング。
【請求項１０】
前記グリッド（３１）の前記高さ「ｃ」は、６５〜７５ｍｍの範囲内である、請求項９に記載の加熱可能なグレージング。
【請求項１１】
前記データ伝送窓（３）の幅「ｄ」は、前記グリッド（３１）の前記幅「ａ」と隣接するグリッド間の前記距離「ｂ」合計の３倍を超える、すなわち、「ｄ＞３（ａ＋ｂ）」である、請求項１〜１０のいずれか１項に記載の加熱可能なグレージング。
【請求項１２】
前記データ伝送窓（３）の幅「ｄ」は、５０〜２００ｍｍの範囲内である、請求項１〜１１のいずれか１項に記載の加熱可能なグレージング。
【請求項１３】
前記データ伝送窓（３）の前記幅「ｄ」は、１３０〜１４０ｍｍの範囲内である、請求項１２に記載の加熱可能なグレージング。
【請求項１４】
前記グリッド（３１）の各区分の幅「ｅ」は、０．５〜５ｍｍの範囲内である、請求項１〜１３のいずれか１項に記載の加熱可能なグレージング。
【請求項１５】
前記加熱可能なグレージング（１）は、前記区切り線（３２）に対して実質的に直角に配置される頂部母線及び底部母線をさらに含む、請求項１〜１４のいずれか１項に記載の加熱可能なグレージング。
【請求項１６】
前記グリッドの前記幅「ａ」及び隣接するグリッド間の前記距離「ｂ」は、前記グリッドの各区分の幅「ｅ」の整数倍「Ａ」及び「Ｂ」になるように選択される、請求項１〜１５のいずれか１項に記載の加熱可能なグレージング。
【請求項１７】
前記グリッドの高さ「ｃ」は、前記グリッドの各区分の前記幅「ｅ」の整数倍「Ｃ」になるように選択される、請求項１４に記載の加熱可能なグレージング。
【請求項１８】
前記加熱可能なグレージング（１）は、第１のグレージング材料プライ（１１）と第２のグレージング材料プライ（１２）との間に、第１及び第２の中間層材料プライ（２１、２２）を含み、前記導電性コーティング（２）は、前記第１の中間層材料プライ（２１）と前記第２の中間層材料プライ（２２）との間のキャリアフィルム（４３）上にある、請求項１〜１７のいずれか１項に記載の加熱可能なグレージング。
【請求項１９】
前記加熱可能なグレージング（１）は、第１のグレージング材料プライ（１１）と第２のグレージング材料プライ（１２）との間に、中間層材料プライ（２１）を含み、前記導電性コーティング（２）は、前記第１または第２のグレージング材料プライ（１１、１２）の表面上にあり、前記中間層材料プライ（２１）と接触している、請求項１〜１７のいずれか１項に記載の加熱可能なグレージング。
【外国語明細書】
2019146241000001.pdf